(57)【要約】【課題】  包材等からなる基材シート体に多数のＩＣチップを所定間隔をおいて位置決めしながら貼り付けること。【解決手段】  基材シート１１を有する基材シート体１０を準備し、この基材シート体１０を版胴３０と圧胴３１との間に挿入する。版胴３０の上方部にＩＣチップ供給ノズル３７ａによりＩＣチップ２０を供給する。版胴３０の表面３０ａに供給されたＩＣチップ２０は、吸着源３５と吸着管３６により負圧に保たれた凹部３１内へスムースに引込まれる。凹部３１内のＩＣチップ２０は、基材シート体１０を版胴３０と圧胴３１との間で加圧することにより、基材シート体１０側へ転写される。【選択図】  図１
2005107920.tif 000002
【特許請求の範囲】
【請求項１】
少なくとも基材シートを有する基材シート体を準備する工程と、
表面に凹部が形成された吸着ロールの表面に、ＩＣチップを供給し、このＩＣチップを凹部内に充てんする工程と、
基材シート体を吸着ロールと吸着ロールに対向して配置された圧胴との間に挿入して、吸着ロールの凹部内に充てんされたＩＣチップを基材シート体に転写する工程と、を備えたことを特徴とするＩＣタグ付シートの製造方法。
【請求項２】
基材シート体は、基材シート上に設けられたアンテナ回路を有することを特徴とする請求項１記載のＩＣタグ付シートの製造方法。
【請求項３】
凹部が形成された回転自在の吸着ロールと、
吸着ロールに対向して配置され、吸着ロールとの間で少なくとも基材シートを有する基材シート体を加圧する圧胴と、
吸着ロールの表面にＩＣチップを供給するＩＣチップ供給手段と、
吸着ロールの凹部内を負圧とする吸着機構とを備え、
ＩＣチップを吸着ロールの凹部内に吸着しながら充てんし、この凹部内のＩＣチップを基材シート体へ転写することを特徴とするＩＣタグ付シートの製造装置。
【請求項４】
吸着機構は、制御部により駆動制御され、制御部は吸着ロールが回転して凹部がＩＣチップ供給手段近傍から圧胴に達する間、当該凹部を負圧とし、凹部が圧胴からＩＣチップ供給手段に達する間、当該凹部を大気開放とするよう吸着機構を制御することを特徴とする請求項３記載のＩＣタグ付シートの製造装置。
【発明の詳細な説明】
【技術分野】
【０００１】
本発明は、外部のリーダ・ライタと非接触でデータの授受を行うことができる非接触ＩＣタグ付シートの製造方法および製造装置に関する。
【背景技術】
【０００２】
従来より外部のリーダ・ライタと非接触でデータの授受を行う非接触ＩＣタグは、ＩＣチップを有しており、このような非接触ＩＣタグは包材等の製品（基材シート体）に多数連続して貼り付けられ、このようにして非接触ＩＣタグ付シートが得られる。
【発明の開示】
【発明が解決しようとする課題】
【０００３】
上述のように、ＩＣチップを有する非接触ＩＣタグは包材等に多数連続して貼り付けられる。この場合、非接触ＩＣタグのＩＣチップは包材等の基材シート体に所定間隔をおいて、精度良く配置しながら貼り付けることが求められている。
【０００４】
本発明はこのような点を考慮してなされたものであり、多数のＩＣチップを包材等の基材シート体に容易かつ精度良く位置決めしながら貼り付けることができ、このことにより品質の高いＩＣタグ付シートを容易に製造することができるＩＣタグ付シートの製造方法および製造装置を提供することを目的とする。
【課題を解決するための手段】
【０００５】
本発明は、少なくとも基材シートを有する基材シート体を準備する工程と、表面に凹部が形成された吸着ロールの表面に、ＩＣチップを供給し、このＩＣチップを凹部内に充てんする工程と、基材シート体を吸着ロールと吸着ロールに対向して配置された圧胴との間に挿入して、吸着ロールの凹部内に充てんされたＩＣチップを基材シート体に転写する工程と、を備えたことを特徴とするＩＣタグ付シートの製造方法である。
【０００６】
本発明は、基材シート体は、基材シート上に設けられたアンテナ回路を有することを特徴とするＩＣタグ付シートの製造方法である。
【０００７】
本発明は、凹部が形成された回転自在の吸着ロールと、吸着ロールに対向して配置され、吸着ロールとの間で少なくとも基材シートを有する基材シート体を加圧する圧胴と、吸着ロールの表面にＩＣチップを供給するＩＣチップ供給手段と、吸着ロールの凹部内を負圧とする吸着機構とを備え、ＩＣチップを吸着ロールの凹部内に吸着しながら充てんし、この凹部内のＩＣチップを基材シート体へ転写することを特徴とするＩＣタグ付シートの製造装置である。
【０００８】
本発明は、吸着機構は、制御部により駆動制御され、制御部は吸着ロールが回転して凹部がＩＣチップ供給手段近傍から圧胴に達する間、当該凹部を負圧とし、凹部が圧胴からＩＣチップ供給手段に達する間、当該凹部を大気開放とするよう吸着機構を制御することを特徴とするＩＣタグ付シートの製造装置である。
【発明の効果】
【０００９】
本発明によれば、包材等からなる基材シート体に、多数のＩＣチップを所定間隔をおいて精度良く位置決めしながら、貼り付けることができる。このため品質の高いＩＣタグ付シートを容易に製造することができる。
【発明を実施するための最良の形態】
【００１０】
以下、図面を参照して本発明の実施の形態について説明する。
【００１１】
図１乃至図６は、本発明によるＩＣタグ付シートの製造方法および製造装置の実施の形態を示す図である。
【００１２】
まず図２により、ＩＣタグ付シートについて説明する。ＩＣタグ付シート１は、包材等の基材シート１１と、基材シート１１の表面に設けられたアンテナ回路１４と、印刷絵柄５とからなる基材シート体１０を有し、この基材シート体１０にＩＣチップ２０が設けられている。
【００１３】
このうちＩＣチップ２０とアンテナ回路１４とによりＩＣタグが構成される。
【００１４】
ＩＣチップ２０はその上面および底面に電極２１，２１を有し、導電性バンプあるいは、異方性導電接着材料を介して、基材シート体１０上のアンテナ回路１４に接続されている。
【００１５】
なお、ＩＣチップ２０は後述のようにして基材シート１１の所定位置に精度良く転写され、基材シート１１の表面に予め設けられたアンテナ回路１４に確実に接続されるようになっている。
【００１６】
次にＩＣタグ付シートの製造装置について説明する。このＩＣタグ付シートの製造装置は、表面３０ａに所定間隔をおいて複数の凹部３１が形成され回転自在に配置されたた版胴（吸着ロール）３０と、版胴３０に対して対向して設けられ版胴３０との間で基材シート体１０を加圧する圧胴３２と、版胴３０と圧胴３２との間から出てくる基材シート体１０およびＩＣチップ２０を圧着する圧着固定部３３および圧着可動部３４とを備えている。
【００１７】
また版胴３０の上方部には一対のドクタ３７が設けられ、版胴３０の上方部であって一対のドクタ３７，３７間には多数のＩＣチップ２０が充てんされている。
【００１８】
図１に示すように、版胴３０の上方部の一対のドクタ３７，３７間には、ＩＣチップ供給ノズル（ＩＣチップ供給手段）３７ａからＩＣチップ２０が供給される。
【００１９】
次に版胴３０の凹部３１について図３により詳述する。版胴３０の凹部３１は版胴３０の表面３０ａから降下して配置されるとともにＩＣチップ２０が収納されるＩＣチップ収納部３１ａと、版胴３０の表面３０ａからＩＣチップ収納部３１ａへ向って延びる平坦状の傾斜部３１ｂとを有している。
【００２０】
また凹部３１は平面扇形形状をなし、ＩＣチップ収納部３１ａは扇形形状の基端に位置している。また凹部３１のＩＣチップ収納部３１ａは、凹部３１のうち、版胴３０の回転方向の後方に配置され、凹部３１の扇形形状は全体として版胴３０と直交する軸線Ｌに対して左右対象となっている。
【００２１】
ここで図３（ａ）は版胴３０の凹部３１を示す断面図であり、図３（ｂ）はその平面図である。
【００２２】
なお、凹部３１のＩＣチップ収納部３１ａ内に配置されたＩＣチップ２０は軸線Ｌに直交しているが、図５に示すようにＩＣチップ収納部３１ａ内のＩＣチップ２０の向きを軸線Ｌに対して４５°傾斜させても良い。
【００２３】
さらに図６に示すように凹部３１のＩＣチップ収納部３１ａ内の形状を長方形状としてもよい。
【００２４】
また、図１に示すように、版胴（吸着ロール）３０は凹部３１内を負圧とすることが可能な吸着機構を有している。この吸着機構は版胴３０内部に設けられた吸着源３５と、各凹部３１のＩＣチップ収納部３１ａと吸着源３５とを連結する吸着ライン３６とを有している。
【００２５】
この場合、版胴３０は、凹部３１が版胴３０の回転方向に向ってＩＣチップ供給ノズル３７近傍に設けられたドクタ３７から圧胴３２に達する領域Ａと、凹部３１が圧胴３２からドクタ３７に達する領域Ｂとを有している。
【００２６】
また各吸着ライン３６には制御弁（図示せず）が設けられ、この制御弁と吸着源３５は制御部３８により制御される。この場合、制御部３８は領域Ａにある凹部３１に対応する吸着ライン３６の制御弁を開、領域Ｂにある凹部３１に対応する吸着ライン３６の制御弁を閉とする。このようにして領域Ａにある凹部３１を負圧に保ち、領域Ｂにある凹部３１を大気開放するようになっている。
【００２７】
次にＩＣタグ付シートの製造方法について説明する。
【００２８】
まず包材等の基材シート１１の表面に印刷により印刷絵柄５が形成され（図４（ａ））、次に基材シート１１表面に印刷によりアンテナ回路１４が形成される（図４（ｂ））。このようにして基材シート体１０が作製される。この基材シート体１０は、シート体供給部１から繰り出され、版胴（吸着ロール）３０と圧胴３２との間に挿入され、版胴３０と圧胴３２との間で加圧される。
【００２９】
この間、多数のＩＣチップ２０が、ＩＣチップ供給ノズル３７ａによって版胴３０上方部であって一対のドクタ３７，３７間に供給される。
【００３０】
版胴３０上方部に供給されたＩＣチップ２０は版胴３０の各凹部３１内に充てんされ、次に凹部３１内のＩＣチップ２０は版胴３０と圧胴３２との間で加圧された基材シート体１０側へ転写される（図４（ｃ）参照）。
【００３１】
次にＩＣチップ２０の凹部３１への充てん作用について述べる。版胴３０上部に供給されたＩＣチップ２０は、図３（ａ）（ｂ）に示すように版胴３０の回転に伴なってドクタ３７により掻き取られ、版胴３０の表面３０ａから凹部３１の傾斜部３１ｂに沿って案内されてＩＣチップ収納部３１ａまで導かれる。
【００３２】
この際、凹部３１は平面扇形形状を有し、ＩＣチップ収納部３１ａは、この扇形形状の基端に位置するとともに、凹部３１のうち版胴３０の回転方向後方に位置している。このため版胴３０の表面３０ａにあるＩＣチップ２０を傾斜部３１ｂを経てスムースにＩＣチップ収納部３１ａまで導くことができ、ＩＣチップ２０をＩＣチップ収納部３１ａ内に精度良く収納することができる。
【００３３】
また凹部３１のＩＣチップ収納部３１ａは吸着源３５に吸着管３６を介して連通し、版胴３０の領域Ａにある凹部３１は吸着源３５により常時負圧に保たれているので、ＩＣチップ供給ノズル３７ａから版胴３０の表面３０ａに供給されたＩＣチップ２０をドクタ３７で掻き取りながらより確実に凹部３１のＩＣチップ収納部３１ａ内へ引込むことができる。さらに、ＩＣチップ収納部３１ａ内に収納されたＩＣチップ２０を圧胴３２まで確実に保持することができる。
【００３４】
また版胴３０の表面３０ａに設けられた凹部３１のＩＣチップ収納部３１ａは、所定の間隔をおいて複数形成されているため、基材シート１０側へＩＣチップ２０を所定間隔をおいて精度良く位置決めしながら転写することができる。
【００３５】
基材シート体１０側へ転写されたＩＣチップ２０はその後、圧着固定部３３および圧着可動部３４によって圧着され加熱される。これにより、ＩＣチップ２０は、バンプあるいは異方性導電接着フィルム１８により、アンテナ回路１４に対して強固に接合される。
【００３６】
なお、ＩＣチップ２０はその上面および底面に電極２１，２１が設けられているため、ＩＣチップ２０上に追加のアンテナ回路１４ａを印刷あるいは転写や貼りつけにより設けることができる（図４（ｄ）および図８）。
【００３７】
このようにして基材シート１１とアンテナ回路１４と印刷絵柄５とからなる基材シート体１０と、ＩＣチップ２０とにより構成されたＩＣタグ付シート１が得られる。このようにして得られたＩＣタグ付シート１は、外部のリーダ・ライタと非接触でデータの授受を行うようになっている。
【００３８】
ＩＣタグ付シート１は、その後図示しない後工程の本圧着部に送られ、この本圧着部において本圧着され、ＩＣタグ付シート１の基材シート１１に対してＩＣチップ２０が確実に接着される。
【００３９】
以上のように本実施の形態によれば、基材シート１１を有する基材シート体１０に、多数のＩＣチップ２０を所定間隔をおいて精度良く位置決めしながら転写することができ、品質の高いＩＣタグ付シートを容易に製造することができる。
【００４０】
次に図７および図８により、本発明の変形例について説明する。
【００４１】
図７（ａ）（ｂ）に示すように、基材シート体１０が基材シート１１と絵柄５とからなり、アンテナ回路１４を含まない場合、ＩＣチップ２０をアンテナ回路１４に接続する必要はない。この場合は、ＩＣチップ２０がアンテナ回路に代わってアンテナ機能を有することになる。この際、図７（ａ）（ｂ）に示すように、基材シート体１０は基材シート１１と、絵柄５とからなり（図７（ａ））、この基材シート体１０の所定位置にＩＣチップ２０が版胴３０の凹部３１内から転写されて実装される。
【００４２】
また図８に示すようにＩＣチップ２０の底面の電極２１と基材シート体１０のアンテナ回路１４とを接続した後、ＩＣチップ２０上に追加のアンテナ回路１４ａを印刷あるいは転写により設け、この追加のアンテナ回路１４ａをＩＣチップ２０の上面のバンプ２１に接続してもよい。この場合、ＩＣチップ２０の電極２１，２１は異方性導電性接着材料１８，１８を介してアンテナ回路１４および追加のアンテナ回路１４ａに接合される。
【図面の簡単な説明】
【００４３】
【図１】本発明によるＩＣタグ付シートの製造方法および製造装置を示す概略図。
【図２】基材シート体にＩＣチップを設けてなるＩＣタグ付シートを示す図。
【図３】版胴の凹部を示す図。
【図４】基材シート体にＩＣチップを転写して実装する状態を示す図。
【図５】版胴の凹部を示す斜視図。
【図６】版胴の凹部を示す斜視図。
【図７】本発明の変形例を示す基材シート体にＩＣチップを転写して実装する状態を示す図。
【図８】本発明の変形例を示す基材シート体にＩＣチップを設けてなるＩＣタグ付シートを示す図。
【符号の説明】
【００４４】
１  ＩＣタグ付シート
１０  基材シート体
１１  基材シート
１４  アンテナ回路
１４ａ  追加アンテナ回路
１８  異方性導電接着フィルム
２０  ＩＣチップ
２１  電極
３０  版胴
３１  凹部
３２  圧胴
３５  吸着源
３６  吸着管
３７  ドクタ
３７ａ  ＩＣチップ供給ノズル
３８  制御部
【図１】
2005107920.tif 000003
【図２】
2005107920.tif 000004
【図３】
2005107920.tif 000005
【図４】
2005107920.tif 000006
【図５】
2005107920.tif 000007
【図６】
2005107920.tif 000008
【図７】
2005107920.tif 000009
【図８】
2005107920.tif 000010